(57)【要約】【課題】光ファイバー織物の緯糸密度を適正な範囲とすることにより、光伝送部と面状発光する発光部を形成し、発光部においては光ファイバーの屈曲により漏光を効率よく発光し、再現性及び量産性も問題の無い光ファイバー織物及び視神経活動測定支援装置を提供する。【解決手段】光ファイバーを経糸３とし、弾性糸を含む糸を緯糸４ａ，４ｂとした光ファイバー織物１であって、光源２からの光を発光部まで伝送する光伝送部６と、光伝送部６の先の面状に発光する発光部７を含み、経糸の光ファイバーが緯糸と交錯する屈曲角度は光伝送部６より発光部７のほうが小さく、発光部７は光ファイバーの屈曲により漏光５ａ−５ｅを発光する。本発明の視神経活動測定支援装置は、眼球へ刺激光を照射するための前記光ファイバー織物を接続した。【選択図】図２
2019077969.tif 000002
【特許請求の範囲】
【請求項１】
光ファイバーを経糸とし、弾性糸を含む糸を緯糸とした光ファイバー織物であって、
光源からの光を発光部まで伝送する光伝送部と、前記光伝送部の先の面状に発光する発光部を含み、
前記経糸の光ファイバーが緯糸と交錯する屈曲角度は光伝送部より発光部のほうが小さく、
前記発光部は、光ファイバーの屈曲により漏光を発光することを特徴とする光ファイバー織物。
【請求項２】
前記発光部の緯糸密度は、前記光伝送部の緯糸密度より大きい請求項１に記載の光ファイバー織物。
【請求項３】
前記漏光の強度(lux)は光伝送部より発光部のほうが６倍以上大きい請求項１又は２に記載の光ファイバー織物。
【請求項４】
前記発光部の経糸が緯糸と交錯する角度は１６８°以上であり、光伝送部の経糸が緯糸と交錯する角度は１６８°未満である請求項１〜３のいずれかに記載の光ファイバー織物。
【請求項５】
前記光伝送部の緯糸密度は４本／ｃｍ未満であり、前記発光部の緯糸密度は４本／ｃｍ以上である請求項１〜４のいずれかに記載の光ファイバー織物。
【請求項６】
前記光ファイバー織物は、平織組織の織物である請求項１〜５のいずれかに記載の光ファイバー織物。
【請求項７】
前記光ファイバー織物の幅方向の両端は、緯糸を経糸に絡めた耳組織である請求項１〜６のいずれかに記載の光ファイバー織物。
【請求項８】
前記光ファイバー織物は、内側に発光部が存在し、前記発光部の両側に光伝送部が存在し、前記両側の光伝送部の端部は光源と接続する請求項１〜７のいずれかに記載の光ファイバー織物。
【請求項９】
前記光ファイバー織物は視神経活動測定支援装置に使用するための光ファイバー織物である請求項１〜８のいずれかに記載の光ファイバー織物。
【請求項１０】
前記光ファイバー織物は、細幅リボン状であり、前記面状発光部は人体の両眼を覆う大きさである請求項１〜９のいずれかに記載の光ファイバー織物。
【請求項１１】
眼球へ刺激光を照射するための請求項１〜９のいずれかに記載の光ファイバー織物を接続したことを特徴とする視神経活動測定支援装置。
【発明の詳細な説明】
【技術分野】
【０００１】
本発明は、必要な個所で面状に発光する光ファイバー織物及び視神経活動測定支援装置に関する。
【背景技術】
【０００２】
患者の脳内手術を行う際、麻酔下で患者の眼球に光を照射し、脳内の視神経の活動を観察し、視神経を傷つけないように手術をする支援装置が提案され（特許文献１）、このために使用する光ファイバー織物も提案されている（特許文献２）。
【先行技術文献】
【特許文献】
【０００３】
【特許文献１】特表２００３−５３２４６０号公報
【特許文献２】特開２００９−２９７２９６号公報
【発明の概要】
【発明が解決しようとする課題】
【０００４】
しかし、従来の光ファイバー織物は、光ファイバーに鋭角な切り込みを入れて漏光部を形成しており、正確な切り込みを入れるのは困難であり、再現性及び量産性に問題がある。
【０００５】
本発明は前記従来の問題を解決するため、光ファイバー織物の緯糸密度を適正な範囲とすることにより、光伝送部と面状発光する発光部を形成し、発光部においては光ファイバーの屈曲により漏光を効率よく発光し、再現性及び量産性も問題の無い光ファイバー織物及び視神経活動測定支援装置を提供する。
【課題を解決するための手段】
【０００６】
本発明の光ファイバー織物は、光ファイバーを経糸とし、弾性糸を含む糸を緯糸とした光ファイバー織物であって、光源からの光を発光部まで伝送する光伝送部と、前記光伝送部の先の面状に発光する発光部を含み、前記経糸の光ファイバーが緯糸と交錯する屈曲角度は光伝送部より発光部のほうが小さく、前記発光部は、光ファイバーの屈曲により漏光を発光することを特徴とする。
【０００７】
本発明の視神経活動測定支援装置は、眼球へ刺激光を照射するための前記光ファイバー織物を接続したことを特徴とする。
【発明の効果】
【０００８】
本発明は、経糸の光ファイバーが緯糸と交錯する屈曲角度は光伝送部より発光部のほうが小さく、発光部は光ファイバーの屈曲により漏光を発光することにより、必要な領域において効率よく発光し、再現性及び量産性も問題の無い光ファイバー織物及び視神経活動測定支援装置を提供できる。発光部は光ファイバーの屈曲により漏光を発光するため、均一な面状発光となる。
【図面の簡単な説明】
【０００９】
【図１】図１は本発明の一実施態様の光ファイバー織物の模式的説明図である。
【図２】図２は同、光ファイバー織物の光伝送部と発光部の経糸（光ファイバー）の屈曲状態を示す模式的説明図である。
【図３】図３は同、経糸（光ファイバー）の屈曲角度を示す模式的説明図である。
【図４】図４は同、光ファイバー織物の光伝送部と発光部の発光状態を示す写真である。
【図５】図５は同、図４の説明図である。
【図６】図６は本発明の別の実施態様の光ファイバー織物の模式的説明図である。
【図７】図７は本発明の一実施態様の光ファイバー織物を視神経活動測定支援装置に使用する模式的説明図である。
【発明を実施するための形態】
【００１０】
本発明の光ファイバー織物は、光ファイバーを経糸とし、弾性糸を含む糸を緯糸とした織物である。この織物は、発光ダイオード（ＬＥＤ）等の光源からの光を発光部まで伝送する光伝送部と、光伝送部の先の面状に発光する発光部を含む。光伝送部では漏光を実質的に発光せず、面状発光部において漏光を発光する。経糸の光ファイバーが緯糸と交錯する屈曲角度は光伝送部より発光部のほうが小さく、発光部は光ファイバーの屈曲により漏光を発光する。発光部は光ファイバーの屈曲により漏光を発光するため、均一な面状発光となる。前記において、面状とは、平面であってもよいし、凹凸加工をして人体の顔面の目の位置に沿った形に成形されていてもよい。
【００１１】
前記光ファイバー織物は、発光部の緯糸密度は光伝送部の緯糸密度より大きいことが好ましい。より好ましい緯糸密度の比率は、光伝送部の緯糸密度を１としたとき、発光部の緯糸密度は１．５〜２．０が好ましく、さらに好ましくは１．６〜２．０である。緯糸密度を高くすると、織物がしっかりし発光面の形状変化が起こりにくく、安定した発光ができる。また、織物の曲げ硬さも高くなり、眼球の保護機能が高くなる。
【００１２】
本発明の光ファイバー織物の漏光の強度(lux)は、光伝送部より発光部のほうが６倍以上大きいことが好ましく、さらに好ましくは７倍以上、より好ましくは８倍以上である。これにより、面状発光部においてさらに効率の良い発光となる。
【００１３】
発光部の経糸が緯糸と交錯する角度は１６８°以上であり、光伝送部の経糸が緯糸と交錯する角度は１６８°未満であるのが好ましい。さらに好ましくは、発光部の経糸が緯糸と交錯する角度は１６９°以上であり、光伝送部の経糸が緯糸と交錯する角度は１６７°以下である。これにより、さらに光伝送部では漏光を実質的に発光せず、発光部においてさらに効率の良い発光となる。発光部における光ファイバー、それ自体の屈曲角度によって漏光し、これが発光となる。前記発光部の経糸が緯糸と交錯する角度は、特定の光ファイバーを織物にしたときの実験から得られた値であり、光ファイバーの材料、太さ、本数等が異なれば角度も相違する可能性がある。
【００１４】
光伝送部の緯糸密度は４本／ｃｍ未満が好ましく、さらに好ましくは３．５本／ｃｍ以下である。下限は２本／ｃｍ以上が好ましく、さらに好ましくは２．５本／ｃｍ以上である。発光部の緯糸密度は４本／ｃｍ以上が好ましく、さらに好ましくは４.５本／ｃｍ以上である。上限は７本／ｃｍ未満が好ましく、さらに好ましくは６．５本／ｃｍ以下である。これにより、さらに光伝送部では漏光を実質的に発光せず、発光部においてさらに漏光による効率の良い発光となる。緯糸密度が７本ｃｍ以上は織物製造が困難となる。
【００１５】
光ファイバー織物は、平織組織の織物であるのが好ましい。平織組織の織物であれば、経糸が緯糸と交錯する角度が一定となり、均一な面状発光となる。光ファイバー織物の幅方向の両端は、緯糸を経糸に絡めた耳組織とするのが好ましい。これにより、幅方向の両端が整い、糸がほつれることもなくなる。
【００１６】
光ファイバー織物は、内側に発光部が存在し、前記発光部の両側に光伝送部が存在し、前記両側の光伝送部の端部は光源と接続する構成としてもよい。光伝送部の長さはほぼ同一とするのが好ましい。これにより、左右の光伝送距離差による光量差が解消され、さらに均一な発光となる。
【００１７】
光ファイバー織物は、一例として視神経活動測定支援装置に使用するために使用できる。このため、光ファイバー織物は細幅リボン状であり、面状発光部は人体の両眼を覆う大きさであるのが好ましい。一例として、光ファイバー織物の全体の長さは０．５〜１０ｍ、幅０．５〜２０ｃｍ、面状発光部の長さは０.５〜３０ｃｍが好ましい。より好ましくは、光ファイバー織物の全体の長さは１〜５ｍ、幅１〜７ｃｍ、面状発光部の長さは１〜１５ｃｍである。また、本発明の光ファイバー織物は、視神経活動測定支援装置に使用することができ、発光部において好ましくは赤色光を発光し、眼球へ刺激光を照射でき、薄く柔らかいため脳手術の妨げとならず、低コストで使い捨てができ、手術前には水蒸気又は熱水滅菌でき、衛生的でもある。発光部では、赤色以外の発光であってもよい。例えば白、黄、ブルーなどの任意の色である。これらの色であっても、瞼を通すと、瞼の血管の血液により赤色となり、眼球への刺激光となりうる。
【００１８】
経糸に使用する光ファイバーは、一例としてコア材料と呼ばれる芯材とその外側のクラッドと呼ばれる鞘材との２層構造になっており、クラッドよりもコアの屈折率を高くすることによって、コアとクラッドの界面では臨界点より大きい光の全反射が起こり、コアに入射した光がこの全反射によりコア内に閉じ込められて伝搬される光ファイバーであれば本発明に用いることができる。光ファイバーの種類としては、石英光ファイバー、ポリマークラッド光ファイバー、多成分ガラス光ファイバー、プラスチック光ファイバーを挙げることができる。大光量伝送性、大口径性、高コア比率、柔軟性（折れにくい性質）から、プラスチック光ファイバーが好ましい。一例として、コア材料がポリメチルメタクリレート（ＰＭＭＡ）樹脂、クラッド材料がフッ素樹脂、コア屈折率１．４９、コア直径２４０μｍ、クラッド直径２５０μｍ、質量０．０６ｇ／ｍがある。このようなプラスチック光ファイバー（ＯＰＦ）として、三菱レーヨン社製、商品名"ＣＫ−１０"がある。他の光ファイバーとしては、東レ社製“東レ光フィバレイテラ”、旭化成社製“プラスチック光フィバルミナス”等がある。
【００１９】
緯糸に使用する弾性糸を含む糸は、弾性糸等を芯とし、この表面に非弾性糸を被覆したカバーリングヤーンがある。弾性糸としてはポリウレタン系弾性糸、ポリエステル系弾性糸等がある。被覆糸としては、ナイロン糸、ポリエステル糸等がある。この中でもナイロン仮撚糸を使用したシングルカバーリングヤーンが好ましい。
【００２０】
以下、図面を用いて説明する。図面において、同一符号は同一物を示す。図１は本発明の一実施態様の光ファイバー織物の模式的説明図である。この光ファイバー織物１は、光ファイバーを経糸３とし、弾性糸を含む糸を緯糸４ａ，４ｂとし、緯糸４ｂの密度は緯糸４ａの密度より大きく、経糸３と緯糸４ａで構成される部分が光伝送部６であり、経糸３と緯糸４ｂで構成される部分が発光部７である。光源側の経糸３（光ファイバー）は収束され、発光器８のコネクタ９に接続される。
【００２１】
図２は同、光ファイバー織物の光伝送部と発光部の経糸（光ファイバー）の屈曲状態を示す模式的説明図である。経糸の光ファイバーが緯糸と交錯する屈曲角度は光伝送部より発光部のほうが小さい。これにより、光源２からの光は光伝送部６の経糸３（光ファイバー）を通過して発光部７まで伝送され、発光部７において、光ファイバーの屈曲により漏光５ａ−５ｅを発光する。
【００２２】
図３は同、経糸（光ファイバー）の屈曲角度を示す模式的説明図である。発光部７の経糸（光ファイバー）３の緯糸４ｂと交錯する屈曲角度αは、例えば１６８°未満であることが好ましい。前記であればより安定して漏光を発光する。前記屈曲角度αは、本発明者らの実験によって確かめた範囲のものであり、絶対的なものではなく、経糸３及び緯糸４ｂの繊度（太さ）、緯糸４ｂと隣の緯糸の距離（長さ）、それぞれの糸の剛性、経糸（光ファイバー）３の材質等によっては異なると思われる。
【００２３】
図４は同、光ファイバー織物の光伝送部と発光部の発光状態を示す写真である。光伝送部では実質的に発光せず、発光部において発光する。図５は同、図４の説明図である。光伝送部６と発光部７の緯糸密度は相違し、光伝送部６の緯糸密度は粗であり、発光部７の緯糸密度は密であることがわかる。
【００２４】
図６は本発明の別の実施態様の光ファイバー織物の模式的説明図である。この光ファイバー織物１０は、中央に発光部１２が存在し、その両側に光伝送部１１ａ，１１ｂが存在し、両側の光伝送部１１ａ，１１ｂの端部は光源２ａ，２ｂと接続する。これにより、左右の光伝送距離差による光量差が解消され、さらに均一な発光となる。
【００２５】
図７は本発明の一実施態様の光ファイバー織物を視神経活動測定支援装置に使用する模式的説明図である。この視神経活動測定支援装置１５は、光ファイバー織物の発光部７を人体１４の両眼の部分に取り付ける。基本構造は図１に示すのと同一であり、１３は電力調整器である。患者の脳内手術を行う際、麻酔下で患者の眼球に光を照射し、脳内の視神経の活動を観察し、視神経を傷つけないように手術をする支援装置として使用する。
【実施例】
【００２６】
以下、実施例を用いてさらに具体的に説明する。本発明の実施例、比較例における測定方法は次のとおりとした。
＜光ファイバーの屈曲角＞
光学顕微鏡（倍率５０倍）で観察し角度を測定した。
＜漏光度（発光度）＞
（１）発光ダイオード（ＬＥＤ）光源装置：ユーテクノロジー社製、商品名"ＵＦＬ−１２−０８"
（２）光源消費電力：１２Ｗ
（３）発光色：白色
（４）光束：５４０〜９８０ｌｍ
【００２７】
（実施例１）
＜経糸＞
経糸に使用する光ファイバーは、三菱レーヨン社製、商品名"ＣＫ−１０"、コア材料がポリメチルメタクリレート（ＰＭＭＡ）樹脂、クラッド材料がフッ素樹脂、コア屈折率１．４９、コア直径２４０μｍ、クラッド直径２５０μｍ、質量０．０６ｇ／ｍを使用した。
＜緯糸＞
ポリウレタン弾性糸（共立繊維社製、商品名"サンコモ"）２２decitexを芯糸とし、被覆糸としてナイロン６仮撚糸３３decitexを巻き付けたシングルカバーリングヤーンを使用した。
＜織物とその評価＞
前記光ファイバーを経糸とし、前記シングルカバーリングヤーンを緯糸とし、図１〜４に示す平組織織物を製造した。得られた織物は生機状態で、幅３０ｍｍ、全体長さ１６００ｍｍ、光伝送部の長さ      １３００ｍｍ、光伝送部の緯糸密度３．０本／ｃｍ、発光部の緯糸密度５．４本／ｃｍあった。得られた織物の評価結果は表１にまとめて示す。
【００２８】
（実施例２）
緯糸として、ポリウレタン弾性糸（旭化成社製、商品名"ロイカＲ４０"）４０decitexを芯糸とし、被覆糸としてポリエステル（ＰＥＴ）糸７５decitexを巻き付けたカバーリングヤーンを使用した。それ以外は実施例１と同様とした。
【００２９】
（比較例１）
光伝送部の緯糸密度も発光部の緯糸密度を３．０本／ｃｍとし、発光部の光ファイバーを傷つけた以外は実施例１と同様とした。以上の評価結果を表１にまとめて示す。
【００３０】
【表１】
2019077969.tif 000003
【００３１】
表１から明らかなとおり、実施例１〜２の光ファイバー織物の発光部は傷なしで高い漏光度を得ることができ、必要な領域において効率よく発光する光ファイバー織物であることが確認できた。これに対して比較例１の光ファイバー織物の発光部は、傷を入れても実施例１〜２のレベルにははるかに届かなかった。これは、光ファイバーに均一に傷つけることは難しく、また緯糸も同時に傷つき、全体が毛羽によって覆われてしまい、効率の良い発光はできなかったからである。
【産業上の利用可能性】
【００３２】
本発明の光ファイバー織物は、視神経活動測定支援装置に好適なほか、新生児黄疸症治療のための光線療法（光ファイバー織物を使用したピンポイント光線照射）等にも適用できる。
【符号の説明】
【００３３】
１，１０  光ファイバー織物
２，２ａ，２ｂ  光源
３  光ファイバー経糸
４ａ，４ｂ  弾性糸を含む緯糸
５ａ−５ｅ  漏光
６，１１ａ，１１ｂ  光伝送部
７，１２  発光部
８  発光器
９  コネクタ
１３  電力調整器
１４  人体
１５  視神経活動測定支援装置
【図１】
2019077969.tif 000004
【図２】
2019077969.tif 000005
【図３】
2019077969.tif 000006
【図４】
2019077969.tif 000007
【図５】
2019077969.tif 000008
【図６】
2019077969.tif 000009
【図７】
2019077969.tif 000010